(57)【要約】【課題】光ディスク装置において、装置の小型化を阻害することなく、対物レンズの光軸の傾きの調整可能な範囲を拡大する。【解決手段】対物レンズ保持部材をガイドするためのガイド軸を立設支持するアクチュエータベース部材２３の第１端部をコイルばねによって光ピックアップベース部材に付勢すると共に、第２端部及び第３端部に光軸調整ねじ２８が螺入されるねじ螺入部２６を設ける。光ピックアップベース部材１１に、光軸調整ねじ２８が裏側から挿通されるねじ挿通部３２を設ける。ねじ挿通部３２の端面３６を、ねじ螺入部２６の起端部から先端部にかけてねじ螺入部２６から離れる方向に傾斜させることにより、光軸調整ねじ２８を締め込んだとき、ねじ挿通部３２の端面３６とねじ螺入部２６の先端部との干渉を防止する。【選択図】図５
2006048781.tif 000002
【特許請求の範囲】
【請求項１】
光ディスクに照射するレーザビームを出力するレーザ光源と、このレーザ光源から出力されたレーザビームを平行ビーム化するコリメータレンズと、このコリメータレンズによる平行ビームを光ディスクの記録面上に収束させる対物レンズと、光ディスクの記録面によって反射され、前記対物レンズ及びコリメータレンズを透過した反射ビームを受光して電気信号に変換する受光素子と、前記対物レンズを保持する対物レンズ保持部材と、この対物レンズ保持部材を前記対物レンズの光軸方向に往復移動自在にガイドしつつ、該光軸に平行な回転軸を中心として回転自在に軸支するガイド軸と、このガイド軸を立設支持するアクチュエータベース部材と、前記レーザ光源、コリメータレンズ、受光素子及びアクチュエータベース部材を保持するための光ピックアップベース部材と、前記アクチュエータベース部材の第１端部を前記光ピックアップベース部材側に付勢する付勢手段と、前記光ピックアップベース部材の裏側から表側に貫通され、前記アクチュエータベース部材の第２端部及び第３端部に螺入されて前記対物レンズの光軸の傾きを調整する光軸調整ねじとを備えた光ディスク装置において、
前記アクチュエータベース部材は、前記光ピックアップベース部材の表側に配置され、前記コリメータレンズの周縁部の近傍に前記光ピックアップベース部材と当接するベース当接部を有し、第２端部及び第３端部に前記光軸調整ねじが螺入されるねじ螺入部を有し、
前記光ピックアップベース部材は、前記アクチュエータベース部材のねじ螺入部に対向する位置に、前記光軸調整ねじが挿通されるねじ挿通部を有し、
前記ねじ螺入部に対向する前記ねじ挿通部の端面は、該ねじ螺入部の起端部から先端部にかけて、該ねじ螺入部から離れる方向に傾斜されており、
これにより、前記光軸調整ねじを締め込んで、前記アクチュエータベース部材のねじ螺入部を前記光ピックアップベース部材側に接近させたとき、前記ねじ挿通部の端面と前記ねじ螺入部の先端部との干渉を防止して、前記対物レンズの光軸の調整角度範囲を拡大したことを特徴とする光ディスク装置。
【請求項２】
光ディスクに照射するレーザビームを出力するレーザ光源と、このレーザ光源から出力されたレーザビームを平行ビーム化するコリメータレンズと、このコリメータレンズによる平行ビームを光ディスクの記録面上に収束させる対物レンズと、光ディスクの記録面によって反射され、前記対物レンズ及びコリメータレンズを透過した反射ビームを受光して電気信号に変換する受光素子と、前記対物レンズを保持する対物レンズ保持部材と、この対物レンズ保持部材を前記対物レンズの光軸方向に往復移動自在にガイドしつつ、該光軸に平行な回転軸を中心として回転自在に軸支するガイド軸と、このガイド軸を立設支持するアクチュエータベース部材と、前記レーザ光源、コリメータレンズ、受光素子及びアクチュエータベース部材を保持するための光ピックアップベース部材と、この光ピックアップベース部材の裏側から表側に貫通され、前記アクチュエータベース部材の端部に螺入されて前記対物レンズの光軸の傾きを調整する光軸調整ねじとを備えた光ディスク装置において、
前記アクチュエータベース部材は、前記光ピックアップベース部材の表側に配置され、前記コリメータレンズの近傍に前記光ピックアップベース部材と当接するベース当接部を有し、端部に前記光軸調整ねじが螺入されるねじ螺入部を有し、
前記光ピックアップベース部材は、前記アクチュエータベース部材のねじ螺入部に対向する位置に、前記光軸調整ねじが挿通されるねじ挿通部を有し、
前記ねじ挿通部の端面は、前記ねじ螺入部の先端部から該ねじ挿通部までの距離が前記ねじ螺入部の起端部から前記ねじ挿通部までの距離より大きくなるように、形成されており、
これにより、前記光軸調整ねじを締め込んで、前記アクチュエータベース部材のねじ螺入部を前記光ピックアップベース部材側に接近させたとき、前記ねじ挿通部の端面と前記ねじ螺入部の先端部との干渉を防止して、前記対物レンズの光軸の調整角度範囲を拡大したことを特徴とする光ディスク装置。
【発明の詳細な説明】
【技術分野】
【０００１】
本発明は、ＤＶＤ（Digital Versatile Disk）等の光ディスクに情報を記録／再生する光ディスク装置に関するものである。
【背景技術】
【０００２】
光ディスク装置では、光源であるレーザダイオードから出射されたレーザビームをコリメータレンズによって平行ビーム化し、対物レンズによって光ディスクの記録面上に収束させる。また、記録面によって反射された反射ビームは、対物レンズ及びコリメータレンズを透過した後、受光素子によって受光され、電気信号に光電変換される。従って、コリメータレンズの光軸に対して、対物レンズの光軸が傾いている場合には、記録面に対するレーザビームの照射、及びコリメータレンズに対する反射ビームの透過が適正になされなくなり、光ピックアップの動作に支障を来たす。
【０００３】
そこで、従来から、光ピックアップには対物レンズの光軸の傾きを調整するための機構が設けられており、光ピックアップは対物レンズの光軸を適正に調整した上で、光ディスク装置に搭載されている。
【０００４】
図７、８は、従来の光ピックアップ１０５の対物レンズ１１６の光軸調整機構を示している。光ピックアップ１０５は、光ピックアップベース部材１１１、コリメータレンズ１１５、対物レンズ１１６と、対物レンズ１１６を保持する対物レンズ保持部材１２１と、対物レンズ保持部材１２１を対物レンズ１１６の光軸Ｌ方向に往復移動自在にガイドするガイド軸１２２と、ガイド軸１２２を立設支持するアクチュエータベース部材１２３等を有している。
【０００５】
アクチュエータベース部材１２３は、コリメータレンズ１１５の近傍の当接部１３０において光ピックアップベース部材１１１に当接され、その第１端部１２３ａにおいてコイルばね１２５によって光ピックアップベース部材１１１の側に付勢されている。また、アクチュエータベース部材１２３は、その第２端部１２３ｂ及び第３端部１２３ｃに、光軸調整ねじ１２８、１２９が螺入されるねじ螺入部１２６、１２７を有している。一方、光ピックアップベース部材１１１は、ねじ螺入部１２６、１２７に対向する位置に、光軸調整ねじ１２８、１２９が挿通されるねじ挿通部１３２、１３３を有している。
【０００６】
図９は、従来の光ピックアップ１０５における第２端部１２３ｂのねじ挿通部１３２、光軸調整ねじ１２８、ねじ螺入部１２６を拡大して示している。同図において、（ａ）は調整前の状態、（ｂ）は調整中又は調整後の状態を示している。ねじ挿通部１３２の端面１３６は、図９（ａ）に示す調整前の状態で、ねじ螺入部１２６と略平行になるように形成されている。光軸調整ねじ１２８は、ねじ挿通部１３２において、光ピックアップベース部材１１１の裏側から表側に貫通され、ねじ螺入部１２６に螺入されている。光ピックアップベース部材１１１の裏側から光軸調整ねじ１２８を回転させることにより、光ピックアップベース部材１１１に対するねじ螺入部１２６の高さ位置が調整され、対物レンズ１１６の光軸Ｌの傾きが調整される。
【０００７】
しかしながら、従来の光ピックアップ１０５においては、図９（ｂ）に示すように、光軸調整ねじ１２８を僅かに締め込むだけで、ねじ螺入部１２６の先端部がねじ挿通部１３２の端面１３６に干渉するので、それ以上、光軸調整ねじ１２８を締め込むことができない。従って、対物レンズ１１６の傾きの調整可能な範囲は、図９（ｂ）に示したような状態までに限定される。
【０００８】
また、光軸調整ねじ１２８の締結によって対物レンズ１１６の光軸Ｌを調整した後は、振動等によって光軸調整ねじ１２８が緩んで、対物レンズ１１６の光軸Ｌが変動しないように、通常、ねじ挿通部１３２とねじ螺入部１２６の先端部との隙間に熱硬化性の接着剤（図７、８参照）１３７が充填される。しかしながら、図９（ｂ）に示したような状態では、ねじ挿通部１３２とねじ螺入部１２６の先端部との隙間があまりにも狭く、接着剤１３７を充填することができない。従って、接着剤１３７を適正に充填するために、光軸調整ねじ１２８の実際の締め込み量は、図９（ｂ）に示したような状態よりもさらに限定されることになる。
【０００９】
なお、図９（ａ）に示した調整前の状態で、ねじ挿通部１３２とねじ螺入部１２６との隙間を大きく設定すれば、対物レンズ１１６の光軸Ｌの調整可能な範囲を大きく確保することも可能であるが、この場合は、光ピックアップ１０５の厚み寸法が大きくなり、光ディスク装置の小型化を図ることができない。
【００１０】
なお、特許文献１には、光ピックアップの光ピックアップベース部材に球面状の突部及びテーパ状のピンを設け、アクチュエータベース部材にこれらに対応する丸穴及び長穴を設けた光ディスク装置が示されている。また、特許文献２及び特許文献３には、光ピックアップが搭載されるドライブシャーシに対する光ピックアップの傾き角を調整する機構が示されている。また、特許文献４には、起動特性を改善することができる動圧軸受が示されている。
【特許文献１】特開平８−１６１７５６号公報
【特許文献２】特開２００２−２０８１４５号公報
【特許文献３】特開平１０−１０５９８１号公報
【特許文献４】国際公開第０１／０２１９６９号パンフレット
【発明の開示】
【発明が解決しようとする課題】
【００１１】
本発明は、上記課題を解決するためになされたものであり、装置の小型化を阻害することなく、対物レンズの光軸の傾きの調整可能な範囲を拡大することができる光ディスク装置を提供することを目的とする。
【課題を解決するための手段】
【００１２】
上記目的を達成するために請求項１の発明は、光ディスクに照射するレーザビームを出力するレーザ光源と、このレーザ光源から出力されたレーザビームを平行ビーム化するコリメータレンズと、このコリメータレンズによる平行ビームを光ディスクの記録面上に収束させる対物レンズと、光ディスクの記録面によって反射され、対物レンズ及びコリメータレンズを透過した反射ビームを受光して電気信号に変換する受光素子と、対物レンズを保持する対物レンズ保持部材と、この対物レンズ保持部材を対物レンズの光軸方向に往復移動自在にガイドしつつ、該光軸に平行な回転軸を中心として回転自在に軸支するガイド軸と、このガイド軸を立設支持するアクチュエータベース部材と、レーザ光源、コリメータレンズ、受光素子及びアクチュエータベース部材を保持するための光ピックアップベース部材と、アクチュエータベース部材の第１端部を光ピックアップベース部材側に付勢する付勢手段と、光ピックアップベース部材の裏側から表側に貫通され、アクチュエータベース部材の第２端部及び第３端部に螺入されて対物レンズの光軸の傾きを調整する光軸調整ねじとを備えた光ディスク装置において、アクチュエータベース部材は、光ピックアップベース部材の表側に配置され、コリメータレンズの周縁部の近傍に光ピックアップベース部材と当接するベース当接部を有し、第２端部及び第３端部に光軸調整ねじが螺入されるねじ螺入部を有し、光ピックアップベース部材は、アクチュエータベース部材のねじ螺入部に対向する位置に、光軸調整ねじが挿通されるねじ挿通部を有し、ねじ螺入部に対向するねじ挿通部の端面は、該ねじ螺入部の起端部から先端部にかけて、該ねじ螺入部から離れる方向に傾斜されており、これにより、光軸調整ねじを締め込んで、アクチュエータベース部材のねじ螺入部を光ピックアップベース部材側に接近させたとき、ねじ挿通部の端面とねじ螺入部の先端部との干渉を防止して、対物レンズの光軸の調整角度範囲を拡大したものである。
【００１３】
請求項２の発明は、光ディスクに照射するレーザビームを出力するレーザ光源と、このレーザ光源から出力されたレーザビームを平行ビーム化するコリメータレンズと、このコリメータレンズによる平行ビームを光ディスクの記録面上に収束させる対物レンズと、光ディスクの記録面によって反射され、対物レンズ及びコリメータレンズを透過した反射ビームを受光して電気信号に変換する受光素子と、対物レンズを保持する対物レンズ保持部材と、この対物レンズ保持部材を対物レンズの光軸方向に往復移動自在にガイドしつつ、該光軸に平行な回転軸を中心として回転自在に軸支するガイド軸と、このガイド軸を立設支持するアクチュエータベース部材と、レーザ光源、コリメータレンズ、受光素子及びアクチュエータベース部材を保持するための光ピックアップベース部材と、この光ピックアップベース部材の裏側から表側に貫通され、アクチュエータベース部材の端部に螺入されて対物レンズの光軸の傾きを調整する光軸調整ねじとを備えた光ディスク装置において、アクチュエータベース部材は、光ピックアップベース部材の表側に配置され、コリメータレンズの近傍に光ピックアップベース部材と当接するベース当接部を有し、端部に光軸調整ねじが螺入されるねじ螺入部を有し、光ピックアップベース部材は、アクチュエータベース部材のねじ螺入部に対向する位置に、光軸調整ねじが挿通されるねじ挿通部を有し、ねじ挿通部の端面は、ねじ螺入部の先端部から該ねじ挿通部までの距離がねじ螺入部の起端部からねじ挿通部までの距離より大きくなるように、形成されており、これにより、光軸調整ねじを締め込んで、アクチュエータベース部材のねじ螺入部を光ピックアップベース部材側に接近させたとき、ねじ挿通部の端面とねじ螺入部の先端部との干渉を防止して、対物レンズの光軸の調整角度範囲を拡大したものである。
【発明の効果】
【００１４】
請求項１の発明によれば、ねじ螺入部に対向するねじ挿通部の端面がその起端部から先端部にかけて、ねじ螺入部から離れる方向に傾斜されているので、光軸調整ねじを締め込んで、アクチュエータベース部材のねじ螺入部を光ピックアップベース部材側に接近させたときでも、ねじ挿通部の端面とねじ螺入部の先端部との干渉が防止される。これにより、対物レンズの光軸の傾きの調整範囲を拡大することができる。しかも、調整前の状態で、ねじ挿通部とねじ螺入部との隙間を大きく設定する必要がないので、装置の小型化を阻害することもない。また、ベース当接部がコリメータレンズの周縁部の近傍に設けられているので、光軸調整ねじを回転させると、アクチュエータベース部材がコリメータレンズの近傍を支点として回動される。従って、対物レンズの光軸をコリメータレンズの光軸に対して容易に調整することができる。
【００１５】
請求項２の発明によれば、ねじ螺入部の先端部からねじ挿通部までの距離がねじ螺入部の起端部からねじ挿通部までの距離より大きくなるように、ねじ挿通部の端面が形成されているので、光軸調整ねじを締め込んで、アクチュエータベース部材のねじ螺入部を光ピックアップベース部材側に接近させたときでも、ねじ挿通部の端面とねじ螺入部の先端部との干渉が防止される。これにより、対物レンズの光軸の傾きの調整範囲を拡大することができる。しかも、調整前の状態で、ねじ挿通部とねじ螺入部との隙間を大きく設定する必要がないので、装置の小型化を阻害することもない。
【発明を実施するための最良の形態】
【００１６】
本発明を実施するための最良の実施形態による光ディスク装置及びそれに用いられる光ピックアップについて図面を参照して説明する。本実施の形態に係る光ディスク装置１の構成を図１に示す。光ディスク装置１は、光ディスク２が載置されるテーブル３と、テーブル３及びその上に載置された光ディスク２を回転駆動させるスピンドルモータ４と、光ディスク２のデータ記録面にレーザビームを照射させて光ディスク２に記録されているデータを読み出し及び／又は光ディスク２にデータを記録する光ピックアップ５と、光ピックアップ５を光ディスク２の半径方向に移動させるための光ピックアップ駆動機構６と、スピンドルモータ４、光ピックアップ５及び光ピックアップ駆動機構６を制御するための制御部７などで構成されている。
【００１７】
光ディスク装置１における光ピックアップ５の光学系の構成を図２に示す。光ピックアップ５は、レーザビームを出力するレーザダイオード（レーザ光源）１２と、レーザダイオード１２から出力されたレーザビームをミラー部材１４に向けて反射させるハーフミラー１３と、ハーフミラー１３によって反射されたレーザビームを光ディスク２の方向に反射させるミラー部材１４と、ミラー部材１４によって反射されたレーザビームを平行ビーム化するコリメータレンズ１５と、コリメータレンズ１５による平行ビームを光ディスク２の記録面上に収束させる対物レンズ１６と、光ディスク２の記録面によって反射された反射ビームを受光して電気信号に変換する受光素子１７等を有している。ハーフミラー１３は、レーザダイオード１２から出力されたレーザビームを上述のごとく反射させると共に、光ディスク２の記録面によって反射され、対物レンズ１６及びコリメータレンズ１５を透過し、さらにミラー部材１４によって反射された反射ビームを受光素子１７に向けて透過させる。
【００１８】
上述した光ピックアップ５に組み込まれる光学素子のうち、レーザダイオード１２、ハーフミラー１３、ミラー部材１４、コリメータレンズ１５及び受光素子１７は、光ピックアップ５の光ピックアップベース部材（図３参照）１１に支持されている。また、対物レンズ１６は、その光軸に平行な方向に往復移動自在な対物レンズ保持部材（図３参照）２１に保持されている。スピンドルモータ４によって回転駆動されている光ディスク２の記録面の微小な変動に対応させて対物レンズ保持部材２１を往復移動させることによって、対物レンズ１６を記録面に合焦させ、レーザビームを光ディスク２の記録面上に収束させる。
【００１９】
図２から明らかなように、コリメータレンズ１５の光軸に対して、対物レンズ１６の光軸が傾いている場合には、記録面２に対するレーザビームの照射、及びコリメータレンズ１５に対する反射ビームの透過が適正になされなくなり、その結果、光ピックアップ５の動作に支障を来たす。そこで、光ピックアップ５には対物レンズ１６の光軸の傾きを調整するための機構が設けられており、この機構によって対物レンズ１６の光軸を適正に調整した上で、光ピックアップ５は光ディスク装置１に搭載されている。
【００２０】
図３、４は、光ディスク装置１の光ピックアップ５のうち、対物レンズ１６の光軸調整機構を示している。光ピックアップ５は、光ピックアップベース部材１１、コリメータレンズ１５、対物レンズ１６と、対物レンズ１６を保持する対物レンズ保持部材２１と、対物レンズ保持部材２１を対物レンズ１６の光軸方向に往復移動自在にガイドするガイド軸２２と、ガイド軸２２を立設支持するアクチュエータベース部材２３等を有している。また、光ピックアップ５は、アクチュエータベース部材２３の第１端部２３ａのばね装着部２４を光ピックアップベース部材１１の側に付勢するコイルばね（付勢手段）２５と、アクチュエータベース部材２３の第２端部２３ｂのねじ螺入部２６及び第３端部２３ｃのねじ螺入部２７に螺入されて対物レンズ１６の光軸Ｌの傾きを調整する光軸調整ねじ２８及び２９等を有している。
【００２１】
ガイド軸２２は、対物レンズ保持部材２１を対物レンズ１６の光軸Ｌ方向に往復移動自在にガイドしつつ、回転自在に軸支する。ガイド軸２２は、対物レンズ１６の光軸に対して略平行となるように、対物レンズ保持部材２１の略中央部に設けられた挿入穴に挿入されている。対物レンズ保持部材２１には、アクチュエータベース部材２３に設けられているマグネット４０の近傍に、フォーカシングコイル及びトラッキングコイル（図示せず）が内蔵されている。フォーカシングコイルに電流を流すことにより、対物レンズ保持部材２１が対物レンズ１６の光軸方向に往復移動し、対物レンズ１６が光ディスク２の記録面に合焦される。また、トラッキングコイルに所定の電流を流すことにより、対物レンズ保持部材２１がガイド軸２２を中心として回動し、対物レンズ１６のトラッキングが調整される。
【００２２】
アクチュエータベース部材２３は、第１端部２３ａにおいてコイルばね２５が装着されるばね装着部２４と、第２端部２３ｂ及び第３端部２３ｃにおいて光軸調整ねじ２８及び２９が螺入されるねじ螺入部２６及び２７と、光ピックアップベース部材１１と当接するベース当接部３０等を有している。コイルばね２５は、光ピックアップベース部材１１に螺入されるばね装着ねじ３１によってばね装着部２４に装着されている。ばね装着ねじ３１は、ばね装着部２４に挿通され、光ピックアップベース部材１１に螺入されている。ばね装着ねじ３１を回転させることにより、コイルばね２５の付勢力を適宜調整することができる。ベース当接部３０は、コリメータレンズ１５の周縁部の近傍に設けられている。アクチュエータベース部材２３の第１端部２３ａはコイルばね２５によって光ピックアップベース部材１１の方向に付勢されているので、光軸調整ねじ２８、２９を回転させることにより、アクチュエータベース部材２３は、ベース当接部３０が当接される球面座３４を支点として回動し、光ピックアップベース部材１１に対するアクチュエータベース部材２３の姿勢角、すなわち対物レンズ１６の光軸Ｌの傾きが調整される。
【００２３】
光軸調整ねじ２８、２９は、光ピックアップベース部材１１の裏側から表側に貫通され、ねじ螺入部２６、２７に螺入されている。光ピックアップベース部材１１は、アクチュエータベース部材２３の第２端部２３ｂ及び第３端部２３ｃのねじ螺入部２６、２７に対向する位置に、光軸調整ねじ２８、２９が挿通されるねじ挿通部３２、３３を有し、コリメータレンズ１５の周縁部に、ベース当接部３０と当接する球面座３４を有している。対物レンズ１６の光軸Ｌの傾き調整は、光ピックアップベース部材１１の裏側からドライバ等の工具を用いて光軸調整ねじ２８、２９を回転させることによりなされる。
【００２４】
図５は、本実施の形態の光ピックアップ５における第２端部２３ｂのねじ挿通部３２、光軸調整ねじ２８、ねじ螺入部２６を拡大して示している。なお、同図において、（ａ）は調整前の状態、（ｂ）は調整中又は調整後の状態を示している。
【００２５】
ねじ挿通部３２の端面３６は、ねじ螺入部２６の起端部から先端部にかけて、ねじ螺入部２６から徐々に離れる方向（光ピックアップベース部材１１の側の方向）に傾斜されている。従って、図９（ｂ）に示した状態よりもさらに光軸調整ねじ２８を締め込んだ場合であっても、図６（ｂ）に示すように、ねじ挿通部３２の端面３６とねじ螺入部２６の先端部との隙間が十分に確保されている。このように光軸調整ねじ２８を適宜回転させることによって対物レンズ１６の光軸の傾きが調整された後、ねじ挿通部３２の端面３６とねじ螺入部２６の先端部との隙間に熱硬化性の接着剤３７を充填して硬化させれば、対物レンズ１６の光軸Ｌの傾きが適正化された状態でアクチュエータベース部材２３が光ピックアップベース部材１１に強固に固定される。なお、以上は第２端部について図５を参照して説明したが、第３端部についてもこれと同様であるので説明を省略する。
【００２６】
以上のように、本実施形態の光ディスク装置１によれば、光軸調整ねじ２８を締め込んで、アクチュエータベース部材２３のねじ螺入部２６を光ピックアップベース部材１１の方向に引き込んだ場合であっても、ねじ挿通部３２の端面３６とねじ螺入部２６の先端部との隙間が十分に確保されるので、ねじ挿通部３２の端面３６とねじ螺入部２６の先端部との干渉が防止され、対物レンズ１６の光軸Ｌの傾きの調整範囲を拡大することができる。しかも、調整前の状態で、ねじ挿通部３２とねじ螺入部２６との隙間を大きく設定する必要がないので、装置の小型化を阻害することもない。また、ベース当接部３０がコリメータレンズ１５の周縁部の近傍に設けられているので、光軸調整ねじ２８を回転させると、アクチュエータベース部材２３がコリメータレンズ１５の近傍を支点として回動される。従って、対物レンズ１６の光軸をコリメータレンズ１５の光軸Ｌに対して容易に調整することができる。
【００２７】
なお、本発明は上記実施形態の構成に限られることなく種々の変形が可能であり、例えば、ねじ挿通部の端面は、図６に示すような形状であってもよい。同図に示したねじ挿通部４２では、ねじ挿通部４２の端面のうちねじ螺入部２６の先端部に対向する部分に、光ピックアップベース部材１１の本体側に落ち込んだ段部４６が形成されている。これにより、ねじ螺入部２６の先端部からねじ挿通部４２（段部４６）までの距離が、ねじ螺入部２６の起端部からねじ挿通部４２までの距離よりも大きくなる。このような構成の光ピックアップ５においても、光軸調整ねじ２８を締め込んだとき、ねじ挿通部４２の端面とねじ螺入部２６の先端部との隙間が十分に確保されるので、ねじ挿通部４２の端面とねじ螺入部２６の先端部との干渉が防止され、対物レンズ１６の光軸の調整角度範囲を拡大することができる。
【図面の簡単な説明】
【００２８】
【図１】本発明の一実施形態による光ディスク装置の構成を示すブロック図。
【図２】同装置の光ピックアップの光学系の構成を示す図。
【図３】同装置の対物レンズの光軸調整機構を示す平面図。
【図４】同装置の対物レンズの光軸調整機構を示す側面図。
【図５】（ａ）は同装置において対物レンズの傾きを調整する前のねじ挿通部の周辺、（ｂ）は調整後の同ねじ挿通部の周辺を拡大して示した断面図。
【図６】同装置の別のねじ挿通部の周辺を示した断面図。
【図７】従来の光ディスク装置の対物レンズの光軸調整機構を示す平面図。
【図８】従来の光ディスク装置の対物レンズの光軸調整機構を示す側面図。
【図９】（ａ）は従来の光ディスク装置において対物レンズの傾きを調整する前のねじ挿通部の周辺、（ｂ）は調整後の同ねじ挿通部の周辺を拡大して示した断面図。
【符号の説明】
【００２９】
１    光ディスク装置
２    光ディスク
５    光ピックアップ
１１    光ピックアップベース部材
１２    レーザダイオード（レーザ光源）
１５    コリメータレンズ
１６    対物レンズ
１７    受光素子
２１    対物レンズ保持部材
２２    ガイド軸
２３    アクチュエータベース部材
２５    コイルばね（付勢手段）
２６    ねじ螺入部
２８    光軸調整ねじ
３０    ベース当接部
３２    ねじ挿通部
３６    端面
【図１】
2006048781.tif 000003
【図２】
2006048781.tif 000004
【図３】
2006048781.tif 000005
【図４】
2006048781.tif 000006
【図５】
2006048781.tif 000007
【図６】
2006048781.tif 000008
【図７】
2006048781.tif 000009
【図８】
2006048781.tif 000010
【図９】
2006048781.tif 000011